(57)【要約】【課題】従来の技術による諸問題を解決するための再生方法及び装置を提供する。【解決手段】再生装置でデータを再生する方法は、再生装置の保存装置に保存されるデータを再生加速度で再生するステップを含む。再生装置は、再生データを保存する保存モジュールと、保存モジュールに保存される再生データの再生加速度の制御パラメーターを入力するための入力モジュールと、保存モジュールと入力モジュールと電気的に接続され、入力モジュールに受信された再生加速度の制御パラメーターによって再生加速度で保存モジュールに保存される再生データを再生するための制御モジュールとを含む。【選択図】図２
2005135566.tif 000002
【特許請求の範囲】
【請求項１】
再生装置でデータを再生する方法は、
再生装置の保存装置に保存されるデータを再生加速度で再生するステップを含むことを特徴とする方法。
【請求項２】
前記再生加速度が０でない正値または負値であることを特徴とする請求項１記載の方法。
【請求項３】
前記方法は更に、加速時間の長さと、再生開始速度と、目的再生速度とによって再生加速度を計算するステップを含むことを特徴とする請求項１記載の方法。
【請求項４】
前記再生加速度が等加速度であることを特徴とする請求項３記載の方法。
【請求項５】
再生装置は、
再生データを保存する保存モジュールと、
保存モジュールに保存される再生データの再生加速度の制御パラメーターを入力するための入力モジュールと、
保存モジュールと入力モジュールと電気的に接続され、入力モジュールに受信された再生加速度の制御パラメーターによって再生加速度で保存モジュールに保存される再生データを再生するための制御モジュールとを含むことを特徴とする再生装置。
【請求項６】
前記入力モジュールは加速スイッチを含み、加速スイッチがオンにされる場合、再生装置は加速スイッチがオンにされる状態に応じる加速度で映像を再生し、加速スイッチがオフにされる場合、再生装置は加速スイッチがオフにされる時の速度で映像を等速度再生することを特徴とする請求項５記載の再生装置。
【請求項７】
前記加速スイッチが操作レバーであることを特徴とする請求項６記載の再生装置。
【請求項８】
前記加速スイッチが押し込みスイッチであることを特徴とする請求項６記載の再生装置。
【請求項９】
前記再生装置は、データの再生速度を表すフィードバック装置を含むことを特徴とする請求項５記載の再生装置。
【請求項１０】
前記フィードバック装置が音声フィードバックでデータの再生速度を表すことを特徴とする請求項９記載の再生装置。
【請求項１１】
前記フィードバック装置が視覚フィードバックでデータの再生速度を表すことを特徴とする請求項９記載の再生装置。
【請求項１２】
前記フィードバック装置が力フィードバックでデータの再生速度を表すことを特徴とする請求項９記載の再生装置。
【請求項１３】
前記再生加速度が０でない正値または負値であることを特徴とする請求項５記載の再生装置。
【請求項１４】
前記制御パラメーターが加速時間であることを特徴とする請求項５記載の再生装置。
【請求項１５】
前記再生加速度が等加速度であることを特徴とする請求項５記載の再生装置。
【発明の詳細な説明】
【技術分野】
【０００１】
この発明は再生装置でデータを再生する方法に関し、特に再生装置である加速度をもってデータを再生する方法に関する。
【背景技術】
【０００２】
マルチメディア技術の発展につれ、従来のテープレコーダーからデジタルビデオレコーダーまでの再生装置は普及している。再生装置は日進月歩しているが、再生フロー制御は依然として問題を残している。
【０００３】
一般に、再生フロー制御は再生／一時停止、再生速度制御、再生方向変更などの制御からなる。再生速度制御について、従来の再生速度は定速であり、言い換えれば等速度を再生速度とする。例えば停止から２倍速、３倍速で再生する。しかし、このような仕組みは使用者の要求に応じがたいところがある。例えば、特定の画面を検索する場合、目的画面に近ければ近いほど低速が要求されるが、倍速を一定にするとその要求に敏感に対応することができなくなる。のみならず、倍速を一定にすると、速度を切り替えれば画面にノイズが生じやすい。図１を参照する。図１は従来の再生速度制御と時間との関係図である。図１によれば、時点ｔ１において、再生速度は停止から２倍速になり、そして時点ｔ２において４倍速になる。このような急遽な切り替えは画面にノイズを生じさせる。
【発明の開示】
【発明が解決しようとする課題】
【０００４】
この発明は前述の問題を解決するための再生方法及び装置を提供することを課題とする。
【課題を解決するための手段】
【０００５】
この発明は再生装置でデータを再生する方法を提供する。該方法は、再生装置の保存装置に保存されるデータを再生加速度で再生するステップを含む。
【０００６】
この発明は更に再生装置を提供する。該装置は再生データを保存する保存モジュールと、保存モジュールに保存される再生データの再生加速度の制御パラメーターを入力するための入力モジュールと、保存モジュールと入力モジュールと電気的に接続され、入力モジュールに受信された再生加速度の制御パラメーターによって再生加速度で保存モジュールに保存される再生データを再生するための制御モジュールとを含む。
【発明の効果】
【０００７】
この発明は再生速度でなく再生加速度でデータを再生することによって、定速間の切り替えである従来の技術と異なって再生フロー制御は使用者の要求に応じて即時に調整される。なお、再生速度が徐々に上下するため、画面にノイズが生じない。
【発明を実施するための最良の形態】
【０００８】
かかる装置及び方法の特徴を詳述するために、具体的な実施例を挙げ、図示を参照にして以下に説明する。
【０００９】
図２を参照する。図２はこの発明による再生装置１０のブロック図である。再生装置１０は、ハウジングに設けられて外部の映像信号と音声信号を受信するための受信モジュール１２と、ＤＶＤ、ＶＣＤドライブなどの読み出し専用メモリーまたはＣＦ、ＳＤ、ＭＭＣなどのフラッシュメモリーまたはハードディスクドライブもしくはマイクロドライバーであって再生データを保存するための保存モジュール１４と、保存モジュール１４に保存されるデータの再生加速度の制御パラメーターを入力するための入力モジュール１６とを含む。
【００１０】
入力モジュール１６は加速スイッチ１８を具える。加速スイッチ１６が動かす場合、再生装置１０は加速スイッチ１８が動かされる状態に応じる加速度で再生し、加速スイッチ１６をはずす場合、再生装置１０は加速スイッチ１８がはずされる状態に応じる加速度で再生する。加速スイッチ１８はいくつかの実施例がある。加速スイッチ１８がレバーであれば、第一方向に押されると、再生装置１０は特定の再生加速度で再生し、第二方向に押されると、再生装置１０は特定の再生減速度で再生し、再生加速度または減速度はレバーが原点から押される距離と正比例する。レバーをはずすと再生装置１０はレバーがはずされる時の速度で等速度再生する。加速スイッチ１８がプレススイッチであれば、再生装置１０はプレスの度合いによって再生加速度または減速度を上げる。加速スイッチ１８がボタンスイッチであれば、一定時間内に押されると再生装置は再生し、押下時間が一定時間を超えると、再生装置１０は押下時間の長さに応じる再生加速度または減速度で再生する。加速スイッチ１８が二路スイッチであれば、第一端に押されると、再生装置１０は特定の加速度で再生し、第二端に押されると、再生装置１０は特定の減速度で再生し、スイッチがはずされると、再生装置１０はスイッチがはずされるときの速度で等速度再生する。加速スイッチ１８の仕組みは以上に限らない。
【００１１】
再生装置１０は更に、保存モジュール１４と入力モジュール１６と電気的に接続されて再生フローを制御し、入力モジュール１６に受信された再生加速度の制御パラメーターによって当加速度でデータを再生するための制御モジュール２０と、再生装置１０の速度状態を表すフィードバック装置２２を含む。フィードバック装置２２は音声フィードバックで再生装置１０の速度状態を表す。例えば再生加速度または減速度の上がるに応じて音声を発する。または視覚フィードバックで再生装置１０の速度状態を表す。例えばメーターで速度を表す。または力フィードバックで再生装置１０の速度状態を表す。例えば再生加速度または減速度の上がるに応じて発振する。
【００１２】
フィードバック装置２２は入力モジュール１６と結合することも可能である。例えば入力に応じて抵抗力を与え、言い換えれば再生加速度または減速度の度合いに応じて力を入れる度合いを加減することである。前述の速度状態は、再生装置１０の加速モードまたは減速モードをいい、または再生装置１０の加速度レベルまたは減速度レベルをいい、または再生装置１０の速度レベルをいう。使用者はフィードバック装置２２によって速度状態を確実に掌握できる。
【実施例１】
【００１３】
図３を参照する。図３はこの発明の実施例１による再生装置１０でデータを再生するフローチャートであって、以下の通りである。
ステップ１００：入力モジュール１６で予定加速または減速時間を入力する。
ステップ１０２：予定加速または減速時間によって再生装置１０の再生加速度または再生減速度を求める。
ステップ１０４：再生加速度または再生減速度によって各再生時点における単位時間内再生データ数を配分する。
【００１４】
以上の通りに、使用者は入力モジュール１６で予定加速または減速時間を入力する。例えばプレススイッチである加速スイッチ１８で予定加速または減速時間を入力すれば、プレスが一定レベルを下回ると、予定時間の２秒後に再生装置は再生速度を特定速度に上げ、プレスが一定レベルを上回ると、予定時間の１秒後に再生装置は再生速度を特定速度に上げる。入力の度合いに応じる予定加速または減速時間及び再生速度は実際の状況に応じて決められる。予定加速または減速時間が得られたら、運動学の公式で相応の再生加速度または減速度は求められる。例えば、再生装置１０の初期再生速度がＳａフレーム／秒であって、それをＳｂフレーム／秒にしようとすれば、ＳａをＳｂから引いて入力された予定加速または減速時間で割って再生加速度または減速度は得られる。その再生加速度または減速度は等加速度または等減速度であり、言い換えれば、予定加速または減速時間の入力から、予定加速または減速時間において、再生装置１０は等加速度または等減速度で再生し、再生速度がＳｂフレーム／秒になってから定速で再生することである。続いて運動学の公式で再生加速度または再生減速度によって各再生時点における単位時間内再生データ数を配分する。例えば、Ｓａ＝３０、Ｓｂ＝６０であって予定加速時間が３秒であれば、再生加速度は（６０−３０）／３＝１０フレーム／秒２である。ゆえに加速時間において、第一秒間の再生速度は３０＋１０＝４０フレーム／秒であり、第二秒間の再生速度は３０＋１０＊２＝５０フレーム／秒であり、第三秒間の再生速度は３０＋１０＊３＝６０フレーム／秒であり、その後再生装置１０は６０フレーム／秒との低速で再生する。
【実施例２】
【００１５】
図４を参照する。図４はこの発明の実施例２による再生装置１０でデータを再生するフローチャートであって、以下の通りである。
ステップ１０６：入力モジュール１６で再生加速度または再生減速度を入力する。
ステップ１０８：再生加速度または再生減速度によって再生装置１０が一定の再生速度に加速または減速する所要時間を求める。
ステップ１１０：再生加速度または再生減速度によって各再生時点における単位時間内再生データ数を配分する。
【００１６】
以上の通りに、使用者は入力モジュール１６で再生加速度または再生減速度を入力する。例えばプレススイッチである加速スイッチ１８で再生加速度または再生減速度を入力すれば、プレスが一定レベルを下回ると、一定の再生速度までの所要時間は長くなり、プレスが一定レベルを上回ると、一定の再生速度までの所要時間は短くなる。入力の度合いに応じる予定加速または減速時間及び再生速度は実際の状況に応じて決められる。再生加速度または再生減速度を入力したら、運動学の公式で一定の再生速度に加速または減速する所要時間は求められる。例えば、再生装置１０の初期再生速度がＳａフレーム／秒であって、それをＳｂフレーム／秒にしようとすれば、ＳａをＳｂから引いて入力された再生加速度または再生減速度で割って一定の再生速度に加速または減速する所要時間は得られる。その再生加速度または減速度は等加速度または等減速度であり、再生速度がＳｂフレーム／秒になってから定速になる。続いて運動学の公式で再生加速度または再生減速度によって各再生時点における単位時間内再生データ数を配分する。例えば、Ｓａ＝３０、Ｓｂ＝６０であって予定加速時間が３秒であれば、再生加速度は（６０−３０）／３＝１０フレーム／秒２である。ゆえに加速時間において、第一秒間の再生速度は３０＋１０＝４０フレーム／秒であり、第二秒間の再生速度は３０＋１０＊２＝５０フレーム／秒であり、第三秒間の再生速度は３０＋１０＊３＝６０フレーム／秒であり、その後再生装置１０は６０フレーム／秒との低速で再生する。以上の方法は再生速度でなく再生加速度を制御することによって、再生装置１０の速度を徐々に加速または減速し、画面にノイズが生じないようにする。
【００１７】
再生データはビデオフレームまたはオーディオサンプルで計算されるため、各再生時点における単位時間内再生データ数を配分する場合は、実数演算が要求するメモリー空間を要らずに整数演算ですむので、演算を簡素化してシステム資源を有効に管理できる。
【００１８】
再生加速度または再生減速度によって各再生時点における単位時間内再生データ数を配分すれば、配分しきれない場合もあり得る。例えば、Ｓａ＝３０、Ｓｂ＝６２であって予定加速時間が３秒であれば、再生加速度は（６２−３０）／３＝１０．６７フレーム／秒２であるが１０フレーム／秒２とする。この場合、第一秒間の再生速度を３０＋１０＝４０フレーム／秒とし、第二秒間の再生速度を３０＋１０＊２＝５０フレーム／秒とし、第三秒間の再生速度を３０＋１０＊３＝６０フレーム／秒としてから、残りの画面をそれぞれ配分する。例えば、第一秒間と第二秒間の再生速度を４０フレーム／秒と５０フレーム／秒に維持したまま第三秒間の再生速度を６２フレーム／秒にし、或いは第一秒間の再生速度を４０フレーム／秒に維持して、第二秒間の再生速度を５１フレーム／秒、第三秒間の再生速度を６２フレーム／秒にする。ゆえに再生加速度または減速度は等加速度または等減速度に限らず、可能な配分はすべてこの発明に属する。
【００１９】
図５を参照する。図５はこの発明における再生速度制御と時間との関係図である。図５によれば、時点ｔ０から時点ｔ１まで、再生速度は停止から２倍速に徐々に上がり、そして時点ｔ１から時点ｔ２まで徐々に４倍速に上がる。こうして画面にノイズが生じなくなる。
【００２０】
この発明による再生装置１０は再生フロー制御インターフェイスを含むことが可能である。なお、この発明はレコーダーの再生、画面検索、デジタルカメラの写真連続再生などに利用されることも可能である。
【００２１】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２２】
この発明は再生速度でなく再生加速度でデータを再生することによって、定速間の切り替えである従来の技術と異なって再生フロー制御は使用者の要求に応じて即時に調整される。なお、再生速度が徐々に上下するため、画面にノイズが生じない。
【図面の簡単な説明】
【００２３】
【図１】従来の再生速度制御と時間との関係図である。
【図２】この発明による再生装置のブロック図である。
【図３】この発明の実施例１による再生装置でデータを再生するフローチャートである。
【図４】この発明の実施例２による再生装置でデータを再生するフローチャートである。
【図５】この発明における再生速度制御と時間との関係図である。
【符号の説明】
【００２４】
１０      再生装置
１２      受信モジュール
１４      保存モジュール
１６      入力モジュール
１８      加速スイッチ
２０      制御モジュール
２２      フィードバック装置
【図１】
2005135566.tif 000003
【図２】
2005135566.tif 000004
【図３】
2005135566.tif 000005
【図４】
2005135566.tif 000006
【図５】
2005135566.tif 000007